(57)【要約】      （修正有）【課題】大規模なバッチ生産に適合しスピーディーに正確に組み立てられ、生産コストを下げることができ、生産効率をアップできる電気コネクタを提供する。【解決手段】この電気コネクタは第１絶縁本体１００、第１導電端子３１０、第２絶縁本体２００、及び第２絶縁本体に嵌設された第２導電端子３２０を包含し、第１絶縁本体に第１導電端子と対応する端子溝１３０が設けられ、第１導電端子が該端子溝内に嵌設され、第１導電端子は第１絶縁本体の表面より露出する第１接触部３１１を有し、第２導電端子は第２絶縁本体表面より露出する第２接触部３２１を有し、第１絶縁本体の両側面より係止アームが延伸され、第１絶縁本体の両側面の係止アーム１２０の間に係止区１２１が形成され、第２絶縁本体は該係止区内に収容されて係止アームと係合する。本電気コネクタの組立はスピーディーで正確で、且つ大規模のバッチ生産に適合し、生産コストを下げる。【選択図】図３
0003157676.tif 000002
【実用新案登録請求の範囲】
【請求項１】
第１絶縁本体、第１導電端子を包含し、該第１絶縁本体に該第１導電端子と対応する端子溝が設けられ、該第１導電端子が該端子溝内に嵌設され、該第１導電端子は該第１絶縁本体の表面より露出する第１接触部を有する電気コネクタにおいて、
さらに第２絶縁本体と該第２絶縁本体に嵌合された第２導電端子を包含し、該第２導電端子は該第２絶縁本体表面より露出する第２接触部を有し、該第１絶縁本体の両側面よりそれぞれ係止アームが延伸され、該係止アームの間に係止区が形成され、該第２絶縁本体が該係止区内に収容されて該係止アームと係合することを特徴とする、電気コネクタ。
【請求項２】
請求項１記載の電気コネクタにおいて、該係止アームは該係止区に向けて延伸された突起を具え、該第２絶縁本体に該突起と嵌合する嵌合口が開設されたことを特徴とする、電気コネクタ。
【請求項３】
請求項１記載の電気コネクタにおいて、該第２絶縁本体の該係止アームの近隣の両側面に階段状を呈する段部が形成され、該係止アームに該係止アームを貫通し、且つ該段部と組み合わされる凹溝が形成されたことを特徴とする、電気コネクタ。
【請求項４】
請求項１記載の電気コネクタにおいて、該第２絶縁本体に貫通孔が開設され、該第２導電端子が該貫通孔を通り並びに該第２絶縁本体に固定されることを特徴とする、電気コネクタ。
【請求項５】
請求項４記載の電気コネクタにおいて、該第２絶縁本体に該第１接触部に沿って載置部が延伸され、該載置部に溝が開設され、該載置部の溝が該貫通孔と連通し、該第２接触部と該載置部の溝が嵌合し、且つ該第２接触部は該載置部の溝より突出することを特徴とする、電気コネクタ。
【請求項６】
請求項５記載の電気コネクタにおいて、該第１絶縁本体に保持凹部が開設され、該保持凹部と係止区が連通し、該第２絶縁本体の底部が該保持凹部に保持されることを特徴とする、電気コネクタ。
【請求項７】
請求項６記載の電気コネクタにおいて、該保持凹部の該第２絶縁本体の載置部の自由端を保持する部分が円弧状を呈し、該第１絶縁本体の該載置台の該保持凹部との接続部分には円弧端面が形成されたことを特徴とする、電気コネクタ。
【請求項８】
請求項７記載の電気コネクタにおいて、該円弧端面が該載置部の自由端と歯状に嵌合することを特徴とする、電気コネクタ。
【請求項９】
請求項１記載の電気コネクタにおいて、金属ケースをさらに包含し、該金属ケースは第１絶縁本体と第２絶縁本体を被覆することを特徴とする、電気コネクタ。
【考案の詳細な説明】
【技術分野】
【０００１】
本考案は一種のコネクタに係り、特に一種の電気コネクタに関する。
【背景技術】
【０００２】
科学技術の不断の発展に伴い、各種の電子製品の間及びその周辺装置の間の接続はますます複雑となり、電子製品とその周辺装置の間のＵＳＢコネクタによる接続は非常に一般的であり、これによりＵＳＢコネクタの使用率は増加している。ＵＳＢコネクタは電子領域で広く応用され、これによりＵＳＢコネクタの生産は元来の小規模生産から次第に大規模なバッチ生産へと変化している。また電子製品のリニューアルも日進月歩であり、伝送速度も不断にアップし、これにより要求に対応するＵＳＢコネクタの伝送速度もそれに応じてアップされなければ電子製品の間の高速のデータ伝送を実現できない。ＵＳＢコネクタの伝送速度アップにより、その構造も複雑となり、これにより早期の伝送速度が低く且つ構造が簡単なＵＳＢコネクタに使用されていた組立方法では、このような伝送速度が高いＵＳＢコネクタをバッチ生産することはできない。このため、各メーカーはＵＳＢコネクタの構造を改善して組立ステップを簡易化してスピーディーに組立られるようにし、生産コストを下げられるようにするため、各種の方法を工夫している。
【考案の概要】
【考案が解決しようとする課題】
【０００３】
本考案の目的は、上述の問題に対して、大規模なバッチ生産に適合しスピーディーに正確に組み立てられ、生産コストを下げることができ、生産効率をアップできる、一種の電気コネクタを提供することを課題としている。
【課題を解決するための手段】
【０００４】
上述の目的を実現するため、本考案の電気コネクタは第１絶縁本体、第１導電端子、第２絶縁本体、及び第２絶縁本体に嵌設された第２導電端子を包含し、第１絶縁本体に第１導電端子に対応する端子溝が設けられ、第１導電端子が該端子溝内に嵌設され、第１導電端子は第１絶縁本体の表面より露出する第１接触部を有し、第２導電端子は第２絶縁本体表面より露出する第２接触部を有し、第１絶縁本体の一端の両側面より係止アームが延伸され、第１絶縁本体の両側面の係止アームの間に係止区が形成され、第２絶縁本体は該係止区内に収容されて係止アームと係合する。
【考案の効果】
【０００５】
本考案の電気コネクタの導電端子はそれぞれ対応する絶縁本体に嵌設され、且つ第１絶縁本体の両側面より係止アームが延伸され、係止アームの間に係止区が形成され、第２絶縁本体が係止区内に収容されて並びに係止アームと係合され、該第２絶縁本体が強固に係止区内に固定されて電気コネクタの組立作業を完成し、これにより該電気コネクタの組立を簡単にスピーディーに行え、組立過程で大量の労力と物力を節約し、メーカーに資源を節約させ、電気コネクタの生産コストを下げ、同時に生産効率を高める。
【図面の簡単な説明】
【０００６】
【図１】本考案の電気コネクタの実施例の立体図である。
【図２】図１の電気コネクタの立体分解図である。
【図３】図１の電気コネクタの別角度から見た立体分解図である。
【図４】図１の電気コネクタの金属ケースで被覆された構造表示図である。
【考案を実施するための形態】
【０００７】
本考案の技術内容、構造特徴及びその達成する目的と効果は、以下に実施例と結びつけ及び図面を組み合わせて詳細に説明される。
【０００８】
図１を参照されたい。本考案の電気コネクタは第１絶縁本体１００、第２絶縁本体２００、第１導電端子３１０、第２導電端子３２０を包含し、第１導電端子３１０は第１絶縁本体１００に嵌設され、第２導電端子３２０は第２絶縁本体２００に嵌設され、並びに第２絶縁本体２００と第２導電端子３２０は一体に第１絶縁本体１００に嵌合される。
【０００９】
具体的には、図２及び図３を参照されたい。該第１絶縁本体１００は保持凹部１１０と載置台１５０を包含し、該保持凹部１１０には端子溝１３０が開設され、該端子溝１３０は前後に保持凹部１１０を貫通し並びに載置台１５０に延伸され、載置台１５０の保持凹部１１０との接続部分には円弧端面が形成され、円弧端面は互い違いに配された凹部１４１と突出部１４２で構成され、且つ凹部１４１と突出部１４２により円弧端面は鋸歯状を呈する。第１絶縁本体１００の一端の両側面より上向きに突伸する係止アーム１２０が設けられ、両側面の係止アーム１２０の間に係止区１２１が形成され、且つ係止区１２１と保持凹部１１０は連通する。係止アーム１２０の末端に係止区１２１に向いて突出する突起１２２が形成され、該突起１２２の下方に内向きに凹み且つ前後に係止アーム１２０を貫通する凹溝１２３が形成されている。
【００１０】
該第１導電端子３１０は第１接触部３１１と固定部３１２で構成され、第１接触部３１１と固定部３１２の接続部分に折り曲げ部３１３が形成され、固定部３１２の末端に連結部３１４が接続され、該連結部３１４は各第１導電端子３１０を連接し一体としている。固定部３１２は保持凹部１１０の端子溝１３０内に嵌合され、折り曲げ部３１３は凹部１４１に嵌合され、第１接触部３１１は載置台１５０の端子溝１３０内に嵌合され並びに載置台１５０の表面に露出し、外部のコネクタの接続端子との接続に便利とされる。本実施例中、第１導電端子３１０と第１絶縁本体１００の嵌合をさらに強固にするため、固定部３１２は折り曲げ形状に設置してもよく、また保持凹部１１０の端子溝１３０も対応するように設置することができる。
【００１１】
該第２絶縁本体２００の両側末端に係止アーム１２０の突起１２２と嵌合する嵌合口２１０が形成され、該嵌合口２１０と突起１２２との嵌合により、第２絶縁本体２００が係止アーム１２０の間の係止区１２１内に固定され、嵌合口２１０と突起１２２の嵌合により第２絶縁本体２００の後ろ向きの脱出が防止され、これにより第２絶縁本体２００が強固に第１絶縁本体１００に取り付けられる。第２絶縁本体２００の両側面に階段状の段部２３０が設けられ、該段部２３０が凹溝１２３に沿ってスライドさせられて第２絶縁本体２００の底部が保持凹部１１０内に嵌合され、これにより第２絶縁本体２００が第１絶縁本体１００に取り付けられる。第２絶縁本体２００に前後に第２絶縁本体２００を貫通する貫通孔２４０が開設され、該貫通孔２４０は第２導電端子３２０を収容し並びに固定する。第２絶縁本体２００に載置台１５０に沿って載置部２２０が延伸され、載置部２２０に溝２２１が開設され、溝２２１と貫通孔２４０は連通する。載置部２２０の自由端２２２は鋸歯状を呈し、該自由端２２２は第１絶縁本体１００の円弧端面の凹部１４１と突出部１４２に対応し接触し、第２絶縁本体２００が過度に押し込まれることで第１導電端子３１０の折り曲げ部３１３が損壊するのを防止する。第２絶縁本体２００の表面に内に凹んだ係止溝２０１が形成されている。また、第２絶縁本体２００の底部は保持凹部１１０内に保持され、これにより第１導電端子３１０の固定部３１２が端子溝１３０とさらに強固に接続され、固定部３１２の端子溝１３０からの脱出が防止される。
【００１２】
該第２導電端子３２０は第２接触部３２１と保持部３２２で構成され、且つ第２接触部３２１は保持部３２２に対して上向きに突出する。第２導電端子３２０は貫通孔２４０をとおり第２絶縁本体２００に固定される。具体的には、保持部３２２は貫通孔２４０内に収容され、第２接触部３２１は外向きに突伸して載置部２２０の溝２２１上に嵌合され且つ上向きに溝２２１より突出し（第２絶縁本体２００の表面より露出し）、外部コネクタの接続端子との接続に便利である。
【００１３】
図４に示されるように、本考案の電気コネクタはさらに金属ケース４００を包含し、金属ケース４００は第１絶縁本体１００と第２絶縁本体２００を被覆し、且つ金属ケース４００の一端に開口４１０が開設され、開口４１０と第１接触部３１１と第２接触部３２１はいずれも金属ケース４００の同一端に位置し、外部コネクタは該開口４１０を通りＵＳＢコネクタと接続される。金属ケース４００の表面に内向きに突出する係止舌部４２０が形成され、係止舌部４２０と第２絶縁本体２００の係止溝２０１が係合し、これにより第１絶縁本体１００と第２絶縁本体２００と金属ケース４００が緊密に接合される。金属ケース４００はその被覆する部品が外界から損傷を受けるのを防止するのみならず、有効に外部電場の第１導電端子３１０と第２導電端子３２０に対する静電影響を遮断する。
【００１４】
以下に、図２から図４を組み合わせて本考案の電気コネクタの組立過程について説明する。まず、第１導電端子３１０を取り付ける。第１導電端子３１０は第１絶縁本体１００の端子溝１３０内に嵌め込まれ、並びに第１導電端子３１０の折り曲げ部３１３を凹部１４１内に嵌合させ、その第１接触部３１１を載置台１５０の端子溝１３０内に嵌合し並びに載置台１５０の表面より露出させる。その後、第２導電端子３２０を取り付ける。すなわち、第２導電端子３２０を第２絶縁本体２００の貫通孔２４０に通し、並びに第２接触部３２１を載置部２２０の溝２２１に嵌合し並びに上向きに溝２２１より突出させる。さらに、第２絶縁本体２００と第２導電端子３２０を一体に第１絶縁本体１００に取り付ける。すなわち、第２絶縁本体２００の段部２３０を係止アーム１２０の凹溝１２３に近接させ、第２絶縁本体２００を押動して段部２３０を凹溝１２３内でスライドさせて、載置部２２０の自由端２２２を第１絶縁本体１００の円弧端面の凹部１４１と突出部１４２と当接させ、同時に係止アーム１２０の突起１２２を嵌合口２１０内に嵌入させる。最後に連結部３１４を切断し、並びに第１絶縁本体１００と第２絶縁本体２００を金属ケース４００で被覆し、係止舌部４２０と第２絶縁本体２００の係止溝２０１を係合させる。こうして本考案の組立が完成し、外部コネクタが該開口４１０を通り電気コネクタと接続されて電気コネクタの機能を実現する。
【００１５】
上述したように、本考案の電気コネクタの組立過程中、スピーディーに便利に第２絶縁本体２００を第１絶縁本体１００に取り付けることができ、且つ両者の間を、突起１２２と嵌合口２１０の係合により強固に結合させることができる。これにより、本考案の電気コネクタは組立過程で大量の人力と物力を節約でき、メーカーに資源を節約させ、電気コネクタの生産コストを減らすと共に、生産効率をアップする。
【符号の説明】
【００１６】
１００  第１絶縁本体          １１０  保持凹部
１２０  係止アーム            １２１  係止区
１２２  突起                  １２３  凹溝
１３０  端子溝                １４１  凹部
１４２  突出部                １５０  載置台
２００  第２絶縁本体          ２０１  係止溝
２１０  嵌合口                ２２０  載置部
２２１  溝                    ２２２  自由端
２３０  段部                  ２４０  貫通孔
３１０  第１導電端子          ３１１  第１接触部
３１２  固定部                ３１３  折り曲げ部
３１４  連結部                ３２０  第２導電端子
３２１  第２接触部            ３２２  保持部
４００  金属ケース            ４１０  開口
４２０  係止舌部
【図１】
0003157676.tif 000003
【図２】
0003157676.tif 000004
【図３】
0003157676.tif 000005
【図４】
0003157676.tif 000006